(57)【要約】【課題】本発明は、届け先、依頼主等の個人情報を反映させた情報を伝票等の被印字媒体に印字することができ、依頼主の作業量を軽減することができる印字システムおよび印字装置を提供することを課題とする。【解決手段】印字装置１において、少なくとも被印字媒体２に印字する印字項目が規定されている印字フォーマットをＲＯＭ１２に記憶しておき、無線通信部１１によって印字項目を携帯電話機３に送信し、無線通信部１１を介して印字項目に印字するための情報が受信されると、ＣＰＵ１３は、受信した情報を印字フォーマットに基づいてイメージデータをＲＡＭ１４の描画領域に展開し、展開したイメージデータを印字制御部１６の制御によって被印字媒体２に印字させるように構成する。【選択図】        図２
2007290289.tif 000002
【特許請求の範囲】
【請求項１】
被印字媒体に印字する印字装置と、携帯端末とからなる印字システムであって、
前記印字装置は、少なくとも前記被印字媒体に印字する印字項目が規定されている印字フォーマットを記憶している印字フォーマット記憶手段と、
前記印字項目を前記携帯端末に送信する印字項目情報送信手段と、
前記印字項目に印字するための情報を前記携帯端末から受信する印字情報受信手段と、
前記印字情報受信手段によって受信された情報を前記印字フォーマットに基づいてイメージデータに展開するイメージデータ展開手段と、
該イメージデータ展開手段によって展開された前記イメージデータを前記被印字媒体に印字する印字手段とを具備し、
前記携帯端末は、前記印字項目を前記印字装置から受信する印字項目情報受信手段と、
個人情報を記憶した個人情報記憶手段と、
該個人情報記憶手段に記憶された前記個人情報を選択する選択入力をする入力手段と、
該入力手段からの選択入力によって選択された前記個人情報を前記印字項目に印字するための情報として前記印字装置に送信する印字情報送信手段とを具備することを特徴とする印字システム。
【請求項２】
被印字媒体に印字する印字装置であって、
少なくとも前記被印字媒体に印字する印字項目が規定されている印字フォーマットを記憶している印字フォーマット記憶手段と、
前記印字項目に印字するための情報を携帯端末から受信する印字情報受信手段と、
該印字情報受信手段によって受信された情報を前記印字フォーマットに基づいてイメージデータに展開するイメージデータ展開手段と、
該イメージデータ展開手段によって展開された前記イメージデータを前記被印字媒体に印字する印字手段とを具備することを特徴とする印字装置。
【請求項３】
前記印字項目を前記携帯端末に送信する印字項目情報送信手段を具備し、
前記印字情報受信手段は、前記印字項目に印字するための情報を前記携帯端末から受信することを特徴とする請求項２記載の印字装置。
【請求項４】
前記被印字媒体には、個人情報を印字する個人情報印字欄が設けられており、
前記印字情報受信手段は、前記携帯端末に記憶されている前記個人情報の中から選択された前記個人情報を受信し、
前記イメージデータ展開手段は、前記印字情報受信手段によって受信された前記個人情報を前記印字フォーマットに基づいて前記イメージデータに展開し、
前記印字手段は、前記イメージデータ展開手段によって展開された前記イメージデータを前記個人情報印字欄に印字することを特徴とする請求項２又は３記載の印字装置。
【発明の詳細な説明】
【技術分野】
【０００１】
本発明は、伝票やラベル等の被印字媒体に印字する印字システムおよび印字装置に関し、特に携帯電話機等の携帯端末から受信した情報を被印字媒体に印字する印字システムおよび印字装置に関する。
【背景技術】
【０００２】
配送業務を効率よく行うことを目的にし、荷物の配送を行う作業者が、届け先および依頼主の電話番号のみを携帯情報端末機に入力することで、
入力した電話番号に基づいて車両側情報管理装置の顧客情報データベースを参照して届け先および依頼主の顧客情報を反映させた伝票を携帯情報端末機から印字させる伝票発行システムが提案されている（例えば、特許文献１参照）。
【０００３】
しかしながら、従来技術では、配送業者側で顧客情報を管理していない場合には、対応することができないと共に、依頼主は、届け先および依頼主等の個人情報を記入した用紙を配送業者に手渡す必要が依然としてあり、依頼主の作業量は軽減されていないという問題点があった。
【０００４】
【特許文献１】特開平１１−５３４５３号公報
【発明の開示】
【発明が解決しようとする課題】
【０００５】
本発明は斯かる問題点に鑑みてなされたものであり、その目的とするところは、配送業者側で顧客情報を管理していなくても、届け先、依頼主等の個人情報を反映させた情報を伝票等の被印字媒体に印字することができ、依頼主の作業量を軽減することができる印字システムおよび印字装置を提供する点にある。
【課題を解決するための手段】
【０００６】
本発明は上記課題を解決すべく、以下に掲げる構成とした。
請求項１記載の発明の要旨は、被印字媒体に印字する印字装置と、携帯端末とからなる印字システムであって、前記印字装置は、少なくとも前記被印字媒体に印字する印字項目が規定されている印字フォーマットを記憶している印字フォーマット記憶手段と、前記印字項目を前記携帯端末に送信する印字項目情報送信手段と、前記印字項目に印字するための情報を前記携帯端末から受信する印字情報受信手段と、前記印字情報受信手段によって受信された情報を前記印字フォーマットに基づいてイメージデータに展開するイメージデータ展開手段と、該イメージデータ展開手段によって展開された前記イメージデータを前記被印字媒体に印字する印字手段とを具備し、前記携帯端末は、前記印字項目を前記印字装置から受信する印字項目情報受信手段と、個人情報を記憶した個人情報記憶手段と、該個人情報記憶手段に記憶された前記個人情報を選択する選択入力をする入力手段と、該入力手段からの選択入力によって選択された前記個人情報を前記印字項目に印字するための情報として前記印字装置に送信する印字情報送信手段とを具備することを特徴とする印字システムに存する。
また請求項２記載の発明の要旨は、被印字媒体に印字する印字装置であって、少なくとも前記被印字媒体に印字する印字項目が規定されている印字フォーマットを記憶している印字フォーマット記憶手段と、前記印字項目に印字するための情報を携帯端末から受信する印字情報受信手段と、該印字情報受信手段によって受信された情報を前記印字フォーマットに基づいてイメージデータに展開するイメージデータ展開手段と、該イメージデータ展開手段によって展開された前記イメージデータを前記被印字媒体に印字する印字手段とを具備することを特徴とする印字装置に存する。
また請求項３記載の発明の要旨は、前記印字項目を前記携帯端末に送信する印字項目情報送信手段を具備し、前記印字情報受信手段は、前記印字項目に印字するための情報を前記携帯端末から受信することを特徴とする請求項２記載の印字装置に存する。
また請求項４記載の発明の要旨は、前記被印字媒体には、個人情報を印字する個人情報印字欄が設けられており、前記印字情報受信手段は、前記携帯端末に記憶されている前記個人情報の中から選択された前記個人情報を受信し、前記イメージデータ展開手段は、前記印字情報受信手段によって受信された前記個人情報を前記印字フォーマットに基づいて前記イメージデータに展開し、前記印字手段は、前記イメージデータ展開手段によって展開された前記イメージデータを前記個人情報印字欄に印字することを特徴とする請求項２又は３記載の印字装置に存する。
【発明の効果】
【０００７】
本発明の印字システムは、印字装置において、少なくとも被印字媒体に印字する印字項目が規定されている印字フォーマットを記憶しておき、印字項目を携帯端末に送信し、印字項目に印字するための情報を携帯端末から受信し、受信した情報を印字フォーマットに基づいてイメージデータに展開して被印字媒体に印字するように構成することにより、被印字媒体に印字する情報を依頼主の携帯電話機から取得することができるため、依頼主が伝票等の被印字媒体に記入する手間が省け、依頼主の作業量を軽減することができるという効果を奏する。
【０００８】
さらに、本発明の印字システムは、携帯端末において、個人情報を記憶しておき、選択入力によって選択された個人情報を印字項目に印字するための情報として印字装置に送信するように構成することより、依頼主の携帯端末に記憶されている個人情報を印字項目に印字するための情報として印字装置に送信することができるため、伝票等の被印字媒体に印字する情報の入力を簡略化することができ、さらに依頼主の作業量を軽減することができるという効果を奏する。
【発明を実施するための最良の形態】
【０００９】
以下、本発明の実施の形態を図面に基づいて詳細に説明する。
【００１０】
（第１の実施の形態）
図１は、本発明に係る印字システムの第１の実施の形態の構成を示す斜視図であり、図２は、図１に示す印字装置の構成を示すブロック図であり、図３は、図１に示す被印字媒体例を示す平面図であり、図４は、図１に示す携帯電話機の構成を示すブロック図である。
【００１１】
第１の実施の形態の印字システムは、図１を参照すると、コンビニエンスストアやスーパーマーケット等の店舗に設置され、荷物の配送に用いる配送伝票等の被印字媒体２に印字する印字装置１と、携帯端末である携帯電話機３とからなる。
【００１２】
印字装置１は、図２を参照すると、携帯電話機３との間でデータの送受信を行う無線通信部１１と、所定の制御プログラムと、フォントデータ、印字フォーマット等の印字に係る各種データとが記憶されているＲＯＭ（read only memory）１２と、ＲＯＭ１２に記憶されている制御プログラムに従って動作し、各部を制御するＣＰＵ（central processing unit）１３と、ＣＰＵ１３が動作する上で必要となる各種データを記憶するＲＡＭ（random access memory）１４と、被印字媒体２に印字を施す印字機構１５と、印字機構１５を制御する印字制御部１６とを備えている。
【００１３】
被印字媒体２としては、ラベル、帳票等の様々な形態に対応することができるが、第１の実施の形態では、図３（ａ）に示すように、届け先印字欄と、依頼主印字欄と、品名印字欄と、個数印字欄と、備考印字欄、受領印欄とが設けられた配送伝票を用いる例について説明する。
【００１４】
無線通信部１１は、赤外線、電波、マイクロウエーブ等の無線伝送路を介して携帯電話機３とデータの送受信を行う機能を有し、被印字媒体２に印字する印字項目を要求する印字項目要求と、印字項目に対応する印字データとを携帯電話機３から受信すると共に、被印字媒体２に印字する項目を指定する印字項目情報と、被印字媒体２が発行、すなわち被印字媒体２への印字が完了したことを通知する発行完了通知とを携帯電話機３に送信する。
【００１５】
ＲＯＭ１２に記憶されている印字フォーマットは、被印字媒体２に印字する印字項目および当該印字項目の印字位置が規定されているデータであり、第１の実施の形態では、図３（ａ）に示す被印字媒体２において、届け先印字欄に印字する印字項目として荷物の届け先の郵便番号、住所、電話番号および氏名が、依頼主印字欄に印字する印字項目として荷物の依頼主の郵便番号、住所、電話番号および氏名がそれぞれ規定されている。なお、受領印欄は、荷物の配達完了時に受取人から印鑑を押印してもらう欄であるため印字項目からは除外される。
【００１６】
ＣＰＵ１３は、無線通信部１１を介して携帯電話機３からの印字項目要求を受信すると、ＲＯＭ１２に記憶されている印字フォーマットに基づいて印字項目を特定し、特定した印字項目を印字項目情報として無線通信部１１を用いて携帯電話機３に送信する。
【００１７】
また、印字装置１のＣＰＵ１３は、無線通信部１１を介して携帯電話機３から送信された印字データ（個人情報）を受信すると、受信した印字データに含まれる文字コードに対応するフォントデータと印字フォーマットとをＲＯＭ１２から読み出し、読み出したフォントデータおよび印字フォーマットに基づいて印字データをビットマップイメージデータとしてＲＡＭ１４の描画領域に展開させ、ＲＡＭ１４の描画領域に展開させたビットマップイメージデータの印字を印字制御部１６に指示する。
【００１８】
印字機構１５は、被印字媒体２に印字を施す印字手段であり、熱転写方式、感熱方式、インクジェット方式、インパクト方式、電子写真方式等の各種印字方式を採用することができる。
【００１９】
印字制御部１６は、ＣＰＵ１３からの指示に基づいて、印字機構１５を制御してＲＡＭ１４の描画領域に展開されているビットマップイメージデータを被印字媒体２に印字させる。
【００２０】
携帯電話機３は、公衆回線網４と音声通話のための通信を行う機能を有すると共に、印字装置１との間でデータの送受信を行う機能を有し、図４を参照すると、所定の制御プログラムが記憶されているＲＯＭ３１と、ＲＯＭ３１に記憶されている制御プログラムに従って動作し、各部を制御するＣＰＵ３２と、ＣＰＵ３２が動作する上で必要となる各種データを記憶するＲＡＭ３３と、入力部３４と、表示部３５と、通話通信部３６と、音声入出力部３７と、個人情報記憶部３８と、無線通信部３９とを備えている。
【００２１】
ＲＯＭ３１には、通常の電話機としての機能させるための通話制御プログラムと、印字装置１から被印字媒体２を発行させるための発行プログラムとが記憶されており、ＣＰＵ３２は、通話制御プログラムに基づいて通常の電話機としての各種処理を実行すると共に、発行プログラムに基づいて印字装置１から被印字媒体２を発行させるための各種処理を実行する。
【００２２】
入力部３４は、電話番号入力キーや各種機能キー等のキーボタン群からなり、通話に係る各種入力を受け付けると共に、発行プログラムの起動を指示する起動指示入力と、被印字媒体２の発行に係る各種入力を受け付ける。
【００２３】
表示部３５は、例えば液晶ディスプレイ等の表示手段であり、通話に係る各種案内画面を表示させると共に、被印字媒体２の発行に係る各種案内画面を表示させる。
【００２４】
通話通信部３６は、公衆回線網４と無線で通信を行う機能を有し、公衆回線網４から受信した電波を復調して得られる音声通話用データを音声入出力部３７に出力すると共に、音声入出力部３７からの音声通話用データを変調して公衆回線網４に送信する。
【００２５】
音声入出力部３７は、通話通信部３６を介して取得された音声通話用のデータを受話用のスピーカから音声出力させると共に、送話用のマイクからの音声入力を音声通話用データとして通話通信部３６に出力する。
【００２６】
個人情報記憶部３８は、電源を切っても記憶内容か消去されない例えば不揮発性のフラッシュメモリであり、所有者の個人情報と、所有者が登録した第三者の個人情報とが記憶されている。なお、第１の実施の形態では、個人情報として電話番号、郵便番号および住所が個人情報記憶部３８に記憶されている。
【００２７】
無線通信部３９は、赤外線、電波、マイクロウエーブ等の無線伝送路を介して印字装置１とデータの送受信を行う機能を有し、被印字媒体２に印字する印字項目を要求する印字項目要求と、印字項目に対応する印字データとを印字装置１に送信すると共に、被印字媒体２に印字する項目を指定する印字項目情報と、被印字媒体２が発行されたことを通知する発行完了通知とを印字装置１から受信する。
【００２８】
次に、第１の実施の形態の動作について図５乃至図７を参照して詳細に説明する。
図５は、本発明に係る印字システムの第１の実施の形態における動作を説明するためのフローチャートであり、図６および図７は、図１に示す携帯電話機の表示部への表示例を示す図である。以下、印字装置１をコンビニエンスストアやスーパーマーケット等の店舗に設置し、被印字媒体２として荷物の配送に用いる配送伝票を印字装置１から発行する例について説明する。
【００２９】
まず、携帯電話機３の所有者は、携帯電話機３の入力部３４を用いて発行プログラムの起動を指示する起動指示入力を行う。携帯電話機３のＣＰＵ３２は、ＲＯＭ３１に記憶されている発行プログラムを起動させ（ステップＡ１）、発行プログラムに基づき、被印字媒体２に印字する印字項目を要求する印字項目要求を無線通信部３９によって印字装置１に送信させる印字項目取得動作を実行すると共に（ステップＡ２）、図６（ａ）に示すような、印字項目取得動作の進捗状態を知らせる進捗状態案内画面５を表示部３５に表示させる。
【００３０】
印字装置１のＣＰＵ１３は、無線通信部１１を介して携帯電話機３からの印字項目要求を受信すると（ステップＡ３）、ＲＯＭ１２に記憶されている印字フォーマットに基づいて印字項目を特定し、特定した印字項目を印字項目情報として無線通信部１１を用いて携帯電話機３に送信させる（ステップＡ４）。なお、第１の実施の形態では、図３に示す印字フォーマットがＲＯＭ１２に記憶されており、届け先印字欄に印字する印字項目（荷物の届け先の郵便番号、住所、電話番号および氏名）と、依頼主印字欄に印字する印字項目（荷物の依頼主の郵便番号、住所、電話番号および氏名）とからなる印字項目情報が印字装置１から携帯電話機３に送信される。
【００３１】
携帯電話機３のＣＰＵ３２は、無線通信部３９を介して印字装置１からの印字項目情報を受信すると、図６（ｂ）に示すような、印字項目への入力を受け付ける印字項目入力画面６を表示部３５に表示させ、印字項目情報によって指定された印字項目への入力を受け付ける。
【００３２】
印字項目入力画面６は、図６（ｂ）を参照すると、届け先の入力を受け付ける届け先入力欄６１と、依頼主の入力を受け付ける依頼主入力欄６２と、届け先入力欄６１に入力された届け先の詳細確認を指示する届け先詳細確認キー６３と、依頼主入力欄６２に入力された依頼主の詳細確認を指示する依頼主詳細確認キー６４と、届け先入力欄６１に入力された届け先と依頼主入力欄６２に入力された依頼主との確認を行うＯＫキー６５とが設けられている。
【００３３】
入力部３４からの選択入力によって届け先入力欄６１に図示しないカーソルが移動され、実行が指示されると、ＣＰＵ３２は、ＲＯＭ３１に記憶されている通話制御プログラムに基づいた個人情報の検索モードに移行させる。個人情報の検索モードで、携帯電話機３の所有者によって個人情報記憶部３８に記憶されている個人情報の１つが特定されると、ＣＰＵ３２は、特定された個人情報を届け先個人情報とし、届け先の印字項目への入力として受け付ける（ステップＡ５）。
【００３４】
また、入力部３４からの選択入力によって依頼主入力欄６２に図示しないカーソルが移動され、実行が指示されると、ＣＰＵ３２は、ＲＯＭ３１に記憶されている通話制御プログラムに基づいた個人情報の検索モードに移行させる。個人情報の検索モードで、携帯電話機３の所有者によって個人情報記憶部３８に記憶されている個人情報の１つが特定されると、ＣＰＵ３２は、特定された個人情報を依頼主個人情報とし、依頼主の印字項目への入力として受け付ける（ステップＡ６）。なお、検索モードに移行させることなく、個人情報記憶部３８に記憶されている所有者の個人情報を依頼主の印字項目への入力として受け付けるようにしても良い。図６（ｂ）には、届け先個人情報および依頼主個人情報が入力された状態が示されており、届け先入力欄６１には、届け先個人情報の氏名が、依頼主入力欄６２には、依頼主個人情報の氏名がそれぞれ表示されている。
【００３５】
入力部３４からの選択入力によって届け先詳細確認キー６３に図示しないカーソルが移動され、実行が指示されると、ＣＰＵ３２は、図７（ａ）に示すような、届け先の印字項目への入力を確認するための届け先個人情報確認画面７を表示部３５に表示させ、携帯電話機３の所有者による届け先個人情報の確認を受け付ける（ステップＡ７）。入力部３４からの選択入力によって届け先個人情報確認画面７に設けられたＯＫキー７１に図示しないカーソルが移動され、実行が指示されると、すなわち届け先個人情報の確認が行われると、ＣＰＵ３２は、印字項目入力画面６を表示部３５に表示させる。なお、届け先個人情報確認画面７においては、届け先個人情報の修正入力を行うことができ、さらに、個人情報記憶部３８に記憶されている個人情報に届け先がない場合には、届け先個人情報の新規入力を行うことができる。
【００３６】
依頼主入力欄６２において、入力部３４からの選択入力によって依頼主詳細確認キー６４に図示しないカーソルが移動され、実行が指示されると、ＣＰＵ３２は、依頼主の印字項目への入力を確認するための図示しない依頼主個人情報確認画面を表示部３５に表示させ、携帯電話機３の所有者による依頼主個人情報の確認を受け付ける（ステップＡ８）。なお、依頼主個人情報確認画面は、図７（ａ）に示す届け先個人情報確認画面７と同様であるため、図面を省略する。入力部３４からの選択入力によって依頼主個人情報確認画面に設けられたＯＫキーに図示しないカーソルが移動され、実行が指示されると、すなわち依頼主個人情報の確認が行われると、ＣＰＵ３２は、印字項目入力画面６を表示部３５に表示させる。なお、依頼主個人情報確認画面においては、依頼主個人情報の修正入力を行うことができ、さらに、個人情報記憶部３８に記憶されている個人情報に依頼主がない場合には、依頼主個人情報の新規入力を行うことができる。
【００３７】
入力部３４からの選択入力によってＯＫキー６５に図示しないカーソルが移動され、実行が指示されると、ＣＰＵ３２は、図７（ｂ）に示すような、届け先個人情報および依頼主個人情報の送信を指示する送信指示画面８を表示部３５に表示させる。入力部３４からの選択入力によって送信指示キー８１に図示しないカーソルが移動され、実行が指示されると、ＣＰＵ３２は、届け先個人情報および依頼主個人情報を印字データとして無線通信部３９によって印字装置１に送信させる（ステップＡ９）。なお、入力部３４からの選択入力によって戻りキー８２に図示しないカーソルが移動され、実行が指示されると、ＣＰＵ３２は、印字項目入力画面６を表示部３５に表示させる。
【００３８】
印字装置１のＣＰＵ１３は、無線通信部１１を介して携帯電話機３からの届け先個人情報および依頼主個人情報を印字データとして受信すると（ステップＡ１０）、受信した印字データに含まれる文字コードに対応するフォントデータと印字フォーマットとをＲＯＭ１２から読み出し、印字データおよび印字フォーマットに対応するビットマップイメージデータをＲＡＭ１４の描画領域に展開させるレイアウト編集を行い（ステップＡ１１）、ＲＡＭ１４の描画領域に展開させたビットマップイメージデータの印字を印字制御部１６に指示する。印字制御部１６は、印字機構１５を制御することで、ＲＡＭ１４の描画領域に展開されたビットマップイメージデータを被印字媒体２に印字し、図３（ｂ）に示すような、届け先個人情報が届け先印字欄に、依頼主個人情報が依頼主印字欄にそれぞれ印字された被印字媒体２を発行する（ステップＡ１２）。
【００３９】
印字制御部１６は、被印字媒体２の発行が完了すると、無線通信部１１を用いて発行完了通知を携帯電話機３に送信させ（ステップＡ１３）、携帯電話機３のＣＰＵ３２は、無線通信部３９を介して印字装置１からの発行完了通知を受信すると、発行完了を知らせる図示しない発行完了画面を表示部３５に表示させる（ステップＡ１４）。
【００４０】
以上説明したように、第１の実施の形態によれば、印字装置１において、少なくとも被印字媒体２に印字する印字項目が規定されている印字フォーマットをＲＯＭ１２に記憶しておき、無線通信部１１によって印字項目を携帯電話機３に送信し、無線通信部１１を介して印字項目に印字するための情報が受信されると、ＣＰＵ１３は、受信した情報を印字フォーマットに基づいてイメージデータをＲＡＭ１４の描画領域に展開し、展開したイメージデータを印字制御部１６の制御によって被印字媒体２に印字させるように構成するように構成することにより、被印字媒体２に印字する情報を依頼主の携帯電話機３から取得することができるため、依頼主が伝票等の被印字媒体２に記入する手間が省け、依頼主の作業量を軽減することができるという効果を奏する。
【００４１】
さらに、第１の実施の形態によれば、携帯電話機３において、個人情報記憶部３８に個人情報を記憶しておき、入力部３４からの選択入力によって選択された個人情報を印字項目に印字するための情報として印字装置に送信するように構成することより、依頼主の携帯電話機３に記憶されている個人情報を印字項目に印字するための情報として印字装置１に送信することができるため、伝票等の被印字媒体２に印字する情報の入力を簡略化することができ、さらに依頼主の作業量を軽減することができるという効果を奏する。
【００４２】
なお、第１の実施の形態では、届け先印字欄に印字する氏名、郵便番号、住所、電話番号と、依頼主印字欄に印字する氏名、郵便番号、住所、電話番号とを印字項目情報として印字装置１から携帯電話機３に送信させ、その他品名や個数を手書きするように構成したが、品名印字欄、個数印字欄および備考印字欄に印字する印字項目も印字項目情報として印字装置１から携帯電話機３に送信させ、携帯電話機３から品名印字欄、個数印字欄および備考印字欄に印字する情報も印字データを受信するようにしても良い。
【００４３】
（第２の実施の形態）
図８は、本発明に係る印字システムの第２の実施の形態の構成を示す斜視図であり、図９は、本発明に係る印字システムの第２の実施の形態および携帯電話機の動作を説明するためのフローチャートである。
【００４４】
第２の実施の形態では、印字装置１とホストコンピュータ９とが接続されており、被印字媒体２に印字する印字データ、すなわち携帯電話機３から印字装置１に送信された届け先個人情報および依頼主個人情報をホストコンピュータ９によって収集する点が第１の実施の形態と異なっている。なお、上述した第１の実施の形態と同一のステップには同一の符号を付し、その説明を省略する。
【００４５】
図９を参照すると、印字装置１のＣＰＵ１３は、無線通信部１１を介して携帯電話機３からの届け先個人情報および依頼主個人情報を印字データとして受信すると（ステップＡ１０）、無線通信部１１を用いて受信した届け先個人情報および依頼主個人情報をホストコンピュータ９に送信させる（ステップＢ１）。
【００４６】
ホストコンピュータ９は、届け先個人情報および依頼主個人情報を管理する管理データを記憶しており、印字装置１から届け先個人情報および依頼主個人情報を受信すると（ステップＢ２）、受信した届け先個人情報および依頼主個人情報に新たな管理番号を付与し（ステップＢ３）、管理番号を付与した届け先個人情報および依頼主個人情報を登録することで管理データを更新する（ステップＢ４）。
【００４７】
以上説明したように、第２の実施の形態によれば、携帯電話機３から印字装置１に送信された届け先個人情報および依頼主個人情報をホストコンピュータ９で収集して管理するように構成することにより、印字装置１から発行された被印字媒体２から届け先個人情報および依頼主個人情報を読み取ることなく、届け先個人情報および依頼主個人情報をホストコンピュータ９で収集して管理することができるため、配送業務が効率化されるという効果を奏する。また、インターネット接続端末などから利用者がホームページに接続し、このホームページに管理番号を入力することにより、配送した荷物が現在どこの配送センターにあるかを認識でき、荷物の追跡が可能となる。
【００４８】
なお、本発明が上記各実施の形態に限定されず、本発明の技術思想の範囲内において、各実施の形態は適宜変更され得ることは明らかである。本実施の形態では配送伝票に印字する例を説明したが、これに限定せず例えば展示会や施設の入場券や来客者の集計や管理などにも活用することができる。また、携帯端末として携帯電話機を一例に説明したが、これに限定せず個人情報を記憶する端末、例えばＰＤＡ（personal digital assistance）でも良い。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４９】
【図１】本発明に係る印字システムの第１の実施の形態の構成を示す斜視図である。
【図２】図１に示す印字装置の構成を示すブロック図である。
【図３】図１に示す被印字媒体例を示す平面図である。
【図４】図１に示す携帯電話機の構成を示すブロック図である。
【図５】本発明に係る印字システムの第１の実施の形態における動作を説明するためのフローチャートである。
【図６】図１に示す携帯電話機の表示部への表示例を示す図である。
【図７】図１に示す携帯電話機の表示部への表示例を示す図である。
【図８】本発明に係る印字システムの第２の実施の形態の構成を示す斜視図である。
【図９】本発明に係る印字システムの第２の実施の形態および携帯電話機の動作を説明するためのフローチャートである。
【符号の説明】
【００５０】
１  印字装置
２  被印字媒体
３  携帯電話機
４  公衆回線網
５  進捗状態案内画面
６  印字項目入力画面
７  届け先個人情報確認画面
８  送信指示画面
９  ホストコンピュータ
１１  無線通信部（印字情報受信手段、印字項目情報送信手段）
１２  ＲＯＭ（印字フォーマット記憶手段）
１３  ＣＰＵ
１４  ＲＡＭ
１５  印字機構
１６  印字制御部
３１  ＲＯＭ
３２  ＣＰＵ（イメージデータ展開手段）
３３  ＲＡＭ
３４  入力部
３５  表示部
３６  通話通信部
３７  音声入出力部
３８  個人情報記憶部
３９  無線通信部（印字情報送信手段、印字項目情報受信手段）
６１  届け先入力欄
６２  依頼主入力欄
６３  届け先詳細確認キー
６４  依頼主詳細確認キー
６５  ＯＫキー
７１  ＯＫキー
８１  送信指示キー
８２  戻りキー
【図１】
2007290289.tif 000003
【図２】
2007290289.tif 000004
【図３】
2007290289.tif 000005
【図４】
2007290289.tif 000006
【図５】
2007290289.tif 000007
【図６】
2007290289.tif 000008
【図７】
2007290289.tif 000009
【図８】
2007290289.tif 000010
【図９】
2007290289.tif 000011